(57)【要約】【課題】通信中の端末機に対しても一斉の配信を可能とする。【解決手段】複数の端末機２００Ａ〜２００Ｄは、送信と受信とで周波数が異なり前記複数の端末機いずれかが呼出を行い応答の確認がなされたことで通話を開始する複信方式の無線機である。連結中継機１００Ｂは、少なくとも２台の複信方式の無線機であり、一方が前記複数の端末機２００Ａ〜２００Ｄのいずれかからの送信信号を受信し、受信した信号を中継して他方より送信される中継動作を行う。応答端末機２００Ｅは前記連結中継機１００Ｂを介した呼出に対して応答信号の送信を行う。制御機１００Ａは、呼出が行われた場合、応答端末機より応答信号の送信を行わせ、音声入力信号に一斉配信の信号を重畳させる。【選択図】図３
2011160312.tif 000002
【特許請求の範囲】
【請求項１】
送信と受信とで周波数が異なり、一方が他方の呼出を行う呼出信号を送出し他方が応答を行う応答信号の送出することにより、一方が他方の応答の確認がなされたことによって通話を開始する複信方式による無線機を用いた複数の端末機と、
一方が前記複数の端末機からの送信信号を受信して前記送信信号の有無に対応した論理値信号を出力し、他方が前記論理値信号が送信信号有りの論理値の場合に送信状態となり前記送信信号が音声入力信号として入力され送信される中継動作を行う少なくとも２つの前記複信方式による無線機を用いた連結中継機と、
前記複数の端末機のいずれかからの呼出により前記連結中継機を介した通話を開始するため応答信号の送信を行う前記複信方式による無線機を用いた応答端末機と、
前記複数の端末機のいずれかからの呼出が行われた場合、前記応答端末機より応答信号の送信を行わせ、前記音声入力信号に、前記複数の端末機への一斉配信の信号を重畳させる制御を行う制御部と、
を備える無線通信システム。
【請求項２】
前記制御部は、前記送信信号が無い状態の場合、前記連結中継機に前記中継動作を開始させるための呼出を行う前記複信方式による無線機を用いた発信端末機を備えることを特徴とする請求項１に記載の無線通信システム。
【発明の詳細な説明】
【技術分野】
【０００１】
本発明は、複信方式の無線機を用いた一斉配信が可能な無線通信システムに関する。
【背景技術】
【０００２】
地震等の緊急通報や、業務上の指示を一斉配信する場合、半複信方式の端末機を用いると、送信を行っている端末機は配信を受信することができない。
また受信を行っている端末機であっても、交信相手の信号が配信の信号より強い場合は配信を受信できない。  
一斉通報に対応した無線通信システムを構築する場合、端末機は複信方式の無線機であることが必須である。
端末機に緊急通報を行うシステムとして下記の特許文献１に記載されたものがある。基地局がその基地局に位置登録された端末局に対し緊急通報を行い、端末局の使用状況に合わせて様々な方法で端末局の使用者に緊急通報を知らせる。
【先行技術文献】
【特許文献】
【０００３】
【特許文献１】特開２００８−１５８５９９号公報
【発明の概要】
【発明が解決しようとする課題】
【０００４】
しかしながら、特許文献１に記載の発明では、端末機が通話中には、割り込み音または表示により通知を行うことから、割り込み音だけでは何の通報なのかは判らない。
また特許文献１の発明は、公共の携帯電話を前提にしたシステムであり、地震等の災害の際公共通信網の切断やトラフィックの集中等で一時的に使えなくなることがある。よって、駅構内、大型店舗、学校等といった小規模単位で無線通信システムを構築する場合には、公共の通信網を利用すると信頼性が得られない場合がある。        
また、常に情報を共用するためには、端末機から発信した信号も他の端末機全てが受信を行う必要があり、これを行うためには１対多という通信方式の必要性があるが特許文献１の発明では対応できない。
本発明はこのような問題点に鑑みなされたものであり、比較的安価で複信方式が可能な小電力端末機を使用して、通信中の端末機に対しても配信を可能とする無線通信システムを提供することを目的とする。
【課題を解決するための手段】
【０００５】
本発明は、上述した従来の技術の課題を解決するため、
送信と受信とで周波数が異なり、一方が他方の呼出を行う呼出信号を送出し他方が応答を行う応答信号の送出することにより、一方が他方の応答の確認がなされたことによって通話を開始する複信方式による無線機を用いた複数の端末機と、
一方が前記複数の端末機からの送信信号を受信して前記送信信号の有無に対応した論理値信号を出力し、他方が前記論理値信号が送信信号有りの論理値の場合に送信状態となり前記送信信号が音声入力信号として入力され送信される中継動作を行う少なくとも２つの前記複信方式による無線機を用いた連結中継機と、
前記複数の端末機のいずれかからの呼出により前記連結中継機を介した通話を開始するため応答信号の送信を行う前記複信方式による無線機を用いた応答端末機と、
前記複数の端末機のいずれかからの呼出が行われた場合、前記応答端末機より応答信号の送信を行わせ、前記音声入力信号に、前記複数の端末機への一斉配信の信号を重畳させる制御を行う制御部と、
を備える無線通信システムを提供するものである。
【０００６】
また、上記の無線通信システムにおいて、前記制御部は、前記送信信号が無い状態の場合、前記連結中継機に前記中継動作を開始させるための呼出を行う前記複信方式による無線機を用いた発信端末機を備えてもよい。
【発明の効果】
【０００７】
本発明の無線通信システムによれば、基地局側及び端末機側からの一斉配信が可能であり、送信中の端末機に対しても一斉配信が可能であり、基地局側も端末機と同じ無線機を使用することで安価に一斉配信が可能な無線通信システムを構築することができる。
【図面の簡単な説明】
【０００８】
【図１】本発明の一実施形態に係る無線通信システムの外観図である。
【図２】無線機の構成の一実施例である。
【図３】本発明の一実施形態に係る無線中継システムの構成を示すブロック図である。
【図４】端末機より一斉配信を行うシーケンスの一実施例の図である。
【図５】基地局より一斉配信を行うシーケンスの一実施例の図である。
【図６】端末機が一斉配信中に、基地局からの一斉配信を重畳するシーケンスの一実施例の図である。
【発明を実施するための形態】
【０００９】
以下、本発明の実施形態について添付図面を参照して詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
図１は、本発明の一実施形態に係る無線通信システムの外観図である。
本実施形態は駅構内の無線通信システムであり、駅の無線室１０には基地局１００と連結中継機１００Ｂと非常用信号発生装置３００が設置されており、プラットホーム１１およびプラットホーム１２には、図示しない複数の駅職員が端末機２００A〜２００Ｄを所持している。
基地局１００は、制御機１００Ａと、応答端末機２００Ｅと、発信端末機２００Ｆと、を備える。
連結中継機１００Ｂは、端末機２００Ａ〜２００Ｄおよび発信端末機２００Ｆと交信可能な中継端末機２００Ｇと、応答端末機２００Ｅと交信可能な中継端末機２００Ｈと、を備える。
応答端末機２００Ｅと、発信端末機２００Ｆと、中継端末機２００Ｇと、中継端末機２００Ｈとは、プラットホームで使用する駅職員が使用する端末機２００Ａ〜２００Ｄと同等もしくは同じ物を使用する。
非常用信号発生装置３００は、図示しない緊急地震速報や気象情報配信サービス等の情報を受信し、その情報を制御機１００Ａに出力する。 
【００１１】
図２に、基地局１００、連結中継機１００B、プラットホーム１１および１２で共通に使用される端末機２００A〜２００H（代表例を無線機２００とする）の構成例を示す。
無線機２００は、送信受信を同時に行うことができる複信機能を有している。
【００１２】
図２を用いて、無線機２００の受信動作を説明する。
送受共通アンテナ２０１は、送信された電波を受信し、受信信号に変換する。変換された受信信号は、アンテナ共用器２０２のアンテナ端子Aに入力される。
アンテナ共用器２０２は、アンテナ端子A、送信端子T、受信端子Rを有し、受信信号をアンテナ端子Aから受信端子Rにのみ伝達し、後述する送信信号を送信端子Tからアンテナ端子Aにのみ伝達する。
アンテナ共用器２０２は、受信信号を受信部２０３に出力する。
【００１３】
受信部２０３は、妨害信号の除去を行い、受信信号を増幅し、受信信号の復調を行って受信音声信号に変換する。受信音声信号は、受信信号出力端子２０９に出力される。
受信音声出力端子２０９は、内部に切替機構を有するジャックであり、プラグを挿入することで、無線機２００内部の受信音声信号を外部に出力することができる。
プラグが挿入されていない場合、受信音声信号は、受信音声出力端子の切替機構により無線機２００内部のスピーカ２０４に出力され、スピーカ２０４により受信音声が再生される。
制御部２０８は、受信部２０３に対し、受信動作に必要なデータの設定と図示しない電源から電力の供給を行う。
【００１４】
ＰＴＴ（Push  to  Talkの略）２０７は使用者が無線機２００を送信状態とさせるためのスイッチであり、一般的には押す（オンにする）ことにより送信させ、離す（オフにする）ことにより受信とさせる。
また、以降に、「ＰＴＴを操作する」もしくは「ＰＴＴを制御する」という記述を使うが、これは受信状態の無線機２００を送信状態にする、もしくは送信状態の無線機２００を受信状態にするための操作であり、必ずしも無線機２００が有するＰＴＴ２０７を操作することだけでなく、後述する外部入力端子より制御される場合も含む。
複信方式は、送信と受信とで周波数が異なり、一方が呼出を行う呼出信号をＰＴＴの操作により送出し、他方が呼出信号を受信し応答を行う応答信号をＰＴＴの操作により送出することで、一方が他方の応答の確認がなされ、通話が開始される。
また通信を終了する場合は、いずれかのＰＴＴが操作されることにより通話は切断され通信は終了する。
【００１５】
制御部２０８は、ＰＴＴ２０７が操作されることにより、送信部２０６に送信動作に必要な、図示しない電源から電力の供給やデータの設定を行う。
マイク２０５もしくは送信音声入力端子２１０より入力された送信音声信号は、送信部２０６に出力される。
送信部２０６は、送信音声信号を変調して変調信号とし、変調信号を増幅し、不要輻射成分を除去して送信信号とし、アンテナ共用器２０２の送信端子Tに出力される。
送信端子Tに入力された送信信号は、アンテナ共用器２０２のアンテナ端子Ａより送受共通アンテナ２０１に出力され、送受共通アンテナ２０１より電波として送信される。
送信音声入力端子２１０は、内部に切替機構を有するジャックであり、プラグを挿入することで、送信端子２１０からプラグにより入力した信号を送信部２０６に送る。
プラグが挿入されていない場合は、送信音声出力端子２１０の切替機構により無線機２００内部のマイク２０５に入力された音声信号が送信部２０６に入力される。
【００１６】
受信音声出力端子２０９および送信音声入力端子２１０は、前記した音声入出力とは別の汎用端子を有し、制御部２０８より特定の状態の時に、予め定められた出力もしくは入力を行う設定をすることができる。
たとえば、受信信号の有無を論理値で出力を行うキャリア検出や、外部機器からの信号によって端末機２００を送信状態にするためにＰＴＴ２０７の機能を汎用端子に設定することができる。
【００１７】
端末機２００は、パソコン等の機器を使って外部からの制御により、送信周波数や受信周波数の設定、送信禁止、複信方式と半複信方式の切替、外部出力端子の機能の割付等様々な設定を行うことができる。
【００１８】
図３に一実施例の無線通信システムのブロック図を示す。
本実施例は、基地局１００と、連結中継機１００Ｂと、複数の端末機２００Ａ〜２００Ｄと非常用信号発生装置３００と、を備える。
基地局１００は、制御機１００Ａと応答端末機２００Ｅと発信端末機２００Ｆとを有する。
制御機１００Ａは、制御部１０１とミクサ１０２と切替器１０３と音声メモリ１０４を有する。
連結中継機１００Ｂは、中継端末機２００Ｇと中継端末機２００Ｈとを有する。
【００１９】
端末機２００Ａ〜２００Ｄは、送信周波数をｆ１、受信周波数をｆ２として、送信と受信とで異なる周波数に設定される。
基地局１００の、応答端末機２００Ｅは、送信周波数をｆ３、受信周波数をｆ４とされ、発信端末機２００Ｆは、送信周波数をｆ１、受信周波数をｆ２に設定される。
【００２０】
連結中継機１００Ｂの中継端末機２００Ｇは、端末機２００Ａ〜２００Ｄおよび発信端末機２００Ｆの送信周波数ｆ１を受信し、受信周波数ｆ２を送信するように設定される。
中継端末機２００Ｈは、応答用端末機２００Ｅの送信周波数ｆ３を受信し、受信周波数ｆ４を送信するように設定される。
【００２１】
中継端末機２００Ｇ，２００Ｈのそれぞれの受信音声出力端子２０９と送信音声入力端子２１０は、制御機１００Ａに接続される。
中継端末機２００Ｇ，２００Ｈのそれぞれの汎用端子は、キャリア検出信号を出力およびＰＴＴ制御を入力される設定となり、制御機１００Ａに接続さ、汎用制御部１０１にて処理される。
【００２２】
中継端末機２００Ｇの受信音声出力端子２０９から出力される音声出力信号は、制御機１００Ａ内のミクサ１０２に入力され、ミクサ１０２の出力信号は中継端末機２００Ｇの送信音声入力端子２１０に出力される。以降中継端末機２００Ｇの音声出力信号がミクサ１０２を介して中継端末機２００Ｇの送信入力信号となる経路の信号を中継信号と称する。
ミクサ１０２は、後に記載する外部入力信号を中継信号に重畳して出力するが、外部入力信号等が無い場合は中継端末機２００Ｇの音声出力信号のみが出力される。
【００２３】
制御部１０１は、中継端末機２００Ｇのキャリア検出信号により中継端末機２００Ｇが動作中か非動作中かを判断する。制御部１０１は、中継端末機２００Ｇのキャリア検出信号が有る場合のみ、中継端末機２００ＨのＰＴＴを制御する。
制御部１０１は、中継端末機２００Ｈのキャリア検出信号により中継端末機２００Ｈが動作中か非動作中かを判断する。制御部１０１は、中継端末機２００Ｈのキャリア検出信号が有る場合のみ、中継端末機２００ＧのＰＴＴを制御する。
中継端末機２００Ｇおよび２００Ｈのキャリア検出信号の論理とＰＴＴ制御の論理が一致していれば、相互に接続してもよい。
【００２４】
切替器１０３は、複数の入力信号から１つを選択し、ミクサ１０３に対して中継信号に重畳される信号を出力する。切替器１０３は、制御部１０１の制御により入力信号を選択される。
切替器１０３の入力には、非常用信号発生装置３００から出力される信号が供給される。非常用信号発生装置３００は、図示しない緊急地震速報システムや気象情報配信サービス等より必要な情報を入手し、適した音声信号を発生させる。また図示しないマイクによる音声信号を切替器１０３に出力してもよい。さらに非常用信号発生装置３００は、制御部１０１に中継動作を開始させる信号を出力する。
【００２５】
応答端末機２００Eは、連結中継機１００Ｂの中継端末機２００Ｇの呼出に対して応答を行う。応答端末機２００ＥのＰＴＴは制御部１０１に接続され、制御部１０１より制御される。
発信端末機２００Fは、連結中継機１００Ｂからのキャリア検出信号が無い場合、基地局１００から一斉配信を行う場合の呼出のための送信を行う。発信端末機２００ＦのＰＴＴは、制御部１０１に接続され、制御部１０１より制御される。
【００２６】
各状況に応じた一斉配信のシーケンスを説明する。
図４に、駅員の端末機２００Ａから駅員の端末機２００Ｂ〜２００Ｄに対し一斉配信を行うシーケンスを示す。
以後、図４〜６では実線は無線による伝送を示し、破線は有線による伝送を示す。
端末機２００Aは、ＰＴＴを操作されることにより連結中継機１００Ｂに対して呼出信号を送出する（ステップＳ４０１）。
連結中継機１００Ｂは、端末機２００Aからの呼出信号を中継端末機２００Gで受信し、受信信号を検出したことによりキャリア検出出力を制御機１００Ａに出力する（ステップＳ４０２）。制御機１００Ａの制御部１０１は、中継端末機２００Gキャリア検出出力が入力されたことにより中継端末機２００HのＰＴＴを制御する信号を出力する（ステップＳ４０３）。
【００２７】
中継端末機２００Hは送信状態となり、応答端末機２００Ｅに対して呼出信号を送出する（ステップＳ４０４）。
制御機１００Aの制御部１０１は、中継端末機２００Ｇのキャリア検出信号を受け、応答端末機２００ＥのＰＴＴを制御する（ステップＳ４０５）。
応答端末機２００Ｅは、送信状態となるが、ステップ４０４にて呼出信号を受信しているため、応答信号を連結中継機１００Ｂに送信する（ステップＳ４０６）。
連結中継機１００Ｂは、応答端末機２００Ｅからの応答信号を中継端末機２００Ｈで受信し、受信信号を検出したことによりキャリア検出出力を制御機１００Aに出力する（ステップＳ４０７）。制御機１００Aの制御部１０１は、中継端末機２００Hキャリア検出出力が入力されたことにより中継端末機２００ＧのＰＴＴを制御する信号を出力する（ステップＳ４０８）。
中継端末機２００Gは送信状態となり、端末機２００Aに対して応答信号を送出する（ステップＳ４０９）。
【００２８】
端末機２００Aおよび中継端末機２００Hは、呼出および応答を受信したことにより複信方式による通信が開始され、応答端末機２００Eおよび中継端末機２００Gは呼出に対して応答を行ったことにより複信方式による通信が開始される（ステップＳ４１１）。
【００２９】
端末機２００Ａからの上り音声信号は、連結中継機１００Ｂの中継端末機２００Ｇで受信される（ステップ４１２）。中継端末機１００Ａの受信音声出力は制御機１００Ａの図４では図示しないミクサ１０２を介して中継端末機２００Ｇに下り音声信号として入力される（ステップＳ４１３）。
連結中継機１００Ｂの中継端末機２００Ｇは下り音声信号を送信し、端末機２００Ａ〜２００Ｄは下り音声信号を受信する（ステップＳ４１４）。
端末機２００Aは、複信方式のため自らの上り音声を、連結中継機１００Ｂを介して下り音声により受信することができる。
このため、端末機２００A〜２００Dの全ての使用者は、下り音声が再度送信されるハウリング現象を防止するため、受信はイヤホン等を使用し、受信音がマイクに入力されないようにすることが望ましい。
【００３０】
端末機２００Ａの使用者が通話を終了（切断）する場合、端末機２００ＡのＰＴＴを操作し受信状態とする（ステップＳ４１５）。
連結中継機１００Ｂの中継端末機２００Ｇは、端末機２００Ａからの送信信号が無くなったことにより、通話終了となり送信を停止する（ステップＳ４１６）。
【００３１】
連結中継機１００Ｂの中継端末機２００Ｇは、受信信号が無くなったため、キャリア検出出力も停止する（ステップＳ４１７）。制御機１００Ｂの制御部１０１は、中継端末機２００Ｇのキャリア検出が停止したことにより、連結中継機１００Ｂの中継端末機２００ＨのＰＴＴを制御し、通話を終了させる（ステップＳ４１８）。
連結中継機１００Ｂの中継端末機２００Ｈの送信信号が無くなったことにより、応答端末機２００Ｅは通話終了となり送信を停止する（ステップＳ４１９）。
【００３２】
図５に、基地局１００より緊急地震速報の一斉配信を行う場合のシーケンスを示す。
非常信号発生装置３００は、緊急地震速報を受け、その情報配信する音声信号を制御機１００Ａの図５では図示しない切替器１０３に出力する（ステップＳ５０１）。制御機１００Ａの図示しない制御部１０１に、緊急地震速報であることを示す情報を出力する。
緊急地震情報であることを示す情報を受信した制御部１０１は、連結中継機１００Ｂが動作中か非動作中かを確認するためキャリア検出信号の確認を行う（ステップＳ５０２）。
制御部１０１は、キャリア検出信号が無い場合は、連結中継機１００Ｂは非動作状態であると判断する。
制御部１０１は、非動作中の連結中継機１００Ｂを中継動作にするため、発信端末機２００ＦのＰＴＴを制御する（ステップＳ５０３）。
発信端末機２００Ｆは、制御部１０１からのＰＴＴ制御信号により送信状態とされ連結中継機１００Ｂの中継端末機２００Ｇに対し呼出を行う（ステップＳ５０４）。
【００３３】
発信端末機２００Ｆからの呼出信号を受信した連結中継機１００Ｂの中継端末機２００Ｇは、制御機１００Ａの制御部１０１にキャリア検出信号を出力する（ステップＳ５０５）。
制御機１００Ａの制御部１０１は、中継端末機２００Gキャリア検出出力が入力されたことにより中継端末機２００HのＰＴＴを制御する信号を出力する（ステップＳ５０６）。
【００３４】
中継端末機２００Hは送信状態となり、応答端末機２００Ｅに対して呼出信号を送出する（ステップＳ５０７）。
制御機１００Aの制御部１０１は、中継端末機２００Ｇのキャリア検出信号を受け、応答端末機２００ＥのＰＴＴを制御する（ステップＳ５０８）。
応答端末機２００Ｅは送信状態となるが、ステップ５０７にて呼出信号を受信しているため、応答信号を連結中継機１００Ｂに送信する（ステップＳ５０９）。
【００３５】
連結中継機１００Ｂは、応答端末機２００Ｅからの応答信号を中継端末機２００Ｈで受信し、受信信号を検出したことによりキャリア検出出力を制御機１００Aに出力する（ステップＳ５１０）。制御機１００Aの制御部１０１は、中継端末機２００Hキャリア検出出力が入力されたことにより中継端末機２００ＧのＰＴＴを制御する信号を出力する（ステップＳ５１１）。
中継端末機２００Gは送信状態となり、端末機２００Aにたいして応答信号を送出する（ステップＳ５１２）。
【００３６】
発信端末機２００Ｆおよび中継端末機２００Ｈは、呼出および応答を受信したことにより複信方式による通信が開始され、応答端末機２００Eおよび中継端末機２００Gは呼出に対して応答を行ったことにより複信方式による通信が開始される（ステップＳ５１３）。
【００３７】
制御部１０１は、図５では図示しない切替器１０３を制御し、入力された緊急地震速報の情報配信する音声信号（以降、情報音声と記述する）を選択させる。
情報音声は、切替器１０３より出力され図５では図示しないミクサ１０２に入力される。情報音声は、ミクサにより中継信号に重畳され、連結中継機１００Ｂの中継端末機２００Ｇより送信される。各端末機２００Ａ〜２００Ｄは、情報音声を受信する（ステップＳ５１４）。
【００３８】
情報音声の信号が終了すると、緊急信号発生器３００は終了したことを制御機１００Ａの制御部１０１に終了指示の信号を出力する（ステップＳ５１５）。
制御機１００Ａの制御部１０１は、発信端末機２００ＦのＰＴＴを操作し送信を終了する（ステップＳ５１６）。
連結中継機１００Ｂの中継端末機２００Ｇは、発信端末機２００Ｆからの送信信号が無くなったことにより、通話終了となり送信を停止する（ステップＳ５１７）。
連結中継機１００Ｂの中継端末機２００Ｇは、受信信号が無くなったため、キャリア検出出力も停止する（ステップＳ５１８）。制御機１００Ａの制御部１０１は、中継端末機２００Ｇのキャリア検出が停止したことにより、連結中継機１００Ｂの中継端末機２００ＨのＰＴＴを制御し、通話を終了させる（ステップＳ５１９）。
連結中継機１００Ｂの中継端末機２００Ｈの送信信号が無くなったことにより、応答端末機２００Ｅは通話終了となり送信を停止する（ステップＳ５２０）。
【００３９】
図６に、現在行われている通信に、基地局１００から一斉配信を重畳する場合のシーケンスを示す。
端末機２００Ａが、上り音声を送信し、連結中継機１００Ｂを介して端末機２００Ｂ〜２００Ｄが受信している（ステップＳ６０１）。
非常信号発生装置３００は、緊急地震速報を受け、その情報配信する音声信号を制御機１００Ａの図６では図示しない切替器１０３に出力し、制御機１００Ａの制御部１０１に、緊急地震速報であることを示す情報を出力する（ステップＳ６０２）。
緊急地震情報であることを示す情報を受信した制御部１０１は、連結中継機１００Ｂが動作中か非動作中かを確認するためキャリア検出信号の確認を行う（ステップＳ６０３）。
制御部１０１は、キャリア検出信号がある場合は、連結中継機１００Ｂは動作状態であると判断する。
【００４０】
制御部１０１は、切替器１０３を制御し、入力された情報音声を選択させる。
情報音声は、切替器１０３より出力され図６では図示しないミクサ１０２に入力される。情報音声は、ミクサにより現在通信中の中継信号に重畳され（ステップＳ６０４）、連結中継機１００Ｂの中継端末機２００Ｇより送信される。
各端末機２００Ａ〜２００Ｄは、情報音声と端末機２００Ａからの下り音声が重畳された信号を受信する（ステップＳ６０５）。
【００４１】
情報音声の信号が終了すると、緊急信号発生器３００は終了したことを制御機１００Ａの制御部１０１に終了指示の信号を出力する（ステップＳ６０６）。
制御機１００Ａの制御部１０１は、発信端末機２００ＦのＰＴＴを操作し（ステップＳ６０７）、切断指示信号を中継機２００Ｇに送信する（ステップＳ６０８）。
連結中継機１００Ｂの中継端末機２００Ｇおよび端末機２００Ａは、発信端末機２００Ｆからの切断指示をうけ、通話終了となり送信を停止する（ステップＳ６０９）。
連結中継機１００Ｂの中継端末機２００Ｇは、受信信号が無くなったため、キャリア検出出力も停止する（ステップＳ６１０）。制御機１００Ａの制御部１０１は、中継端末機２００Ｇのキャリア検出が停止したことにより、連結中継機１００Ｂの中継端末機２００ＨのＰＴＴを制御し、通話を終了させる（ステップＳ６１１）。
連結中継機１００Ｂの中継端末機２００Ｈの送信信号が無くなったことにより、応答端末機２００Ｅは通話終了となり送信を停止する（ステップＳ６１２）。
【符号の説明】
【００４２】
１０…無線室、  １１…プラットホームＡ、  １２…プラットホームＢ
１００…基地局、１００Ａ…制御機、  １００Ｂ…連結中継機
１０１…制御部、  １０２…ミクサ、  １０３…切替器
２００…無線機、  ２００Ａ〜２００Ｄ…端末機
２００Ｅ…応答端末機、  ２００Ｆ…発信端末機
２００Ｇ…中継端末機、  ２００Ｈ…中継端末機
２０１…送受共用アンテナ、  ２０２…アンテナ共用器、  
２０３…受信部、  ２０４…スピーカ、  ２０５…マイク
２０６…送信部、  ２０７…ＰＴＴ、  ２０８…制御部
２０９…受信音声出力端子、  ２１０…送信音声入力端子  
３００…非常用信号発生装置
【図１】
2011160312.tif 000003
【図２】
2011160312.tif 000004
【図３】
2011160312.tif 000005
【図４】
2011160312.tif 000006
【図５】
2011160312.tif 000007
【図６】
2011160312.tif 000008